(57)【要約】【課題】圧縮機のターミナル（25）の端子ピンが破損して高圧のガスがターミナルカバー（40）に作用してもターミナルカバー（40）が外れたりするのを抑制する。【解決手段】ターミナルカバー（40）のターミナルカバー本体（46）にカバー側結合部（51）を形成する。ターミナルガード（30）のターミナルガード本体（36）にターミナルカバー（40）のカバー側結合部（51）を支持するガード側結合部（52）を形成する。ターミナルガード（30）のガード側結合部（52）をターミナルガード本体（36）よりも高弾性にする。【選択図】図３
2018127976.tif 000002
【特許請求の範囲】
【請求項１】
圧縮機構（11）と、該圧縮機構（11）を駆動する駆動機構（12）と、該圧縮機構（11）と駆動機構（12）とを収容する密閉容器であるケーシング（21）と、該ケーシング（21）に設けられ且つ上記駆動機構（12）のモータに給電用の配線が接続されるターミナル（25）と、該ターミナル（25）を包囲して保護する連続した外周壁を有するターミナルガード（30）と、該ターミナルガード（30）に装着されて上記ターミナル（25）を覆うターミナルカバー（40）とを備えた圧縮機であって、
上記ターミナルカバー（40）は、ターミナルカバー本体（46）と、該ターミナルカバー本体（46）に形成されたカバー側結合部（51）とを備え、
上記ターミナルガード（30）は、ターミナルガード本体（36）と、該ターミナルガード本体（36）に形成されるとともに上記ターミナルカバー（40）のカバー側結合部（51）を支持するガード側結合部（52）とを備え、
上記ターミナルガード（30）のガード側結合部（52）が、上記ターミナルガード本体（36）よりも高弾性であることを特徴とする圧縮機。
【請求項２】
請求項１において、
上記ターミナルカバー（40）のカバー側結合部（51）は先端部に向かって湾曲したフック（47）を有し、
上記ターミナルガード（30）のガード側結合部（52）は、上記フック（47）を掛けるフック掛け開口（37）と、上記フック（47）に沿って湾曲したフック支持部（38）を有し、該フック支持部（38）がターミナルガード本体（36）よりも高弾性であることを特徴とする圧縮機。
【請求項３】
請求項２において、
上記フック（47）と上記フック支持部（38）とが、該フック（47）をフック支持部（38）に押し付ける方向へ面接触するように構成されていることを特徴とする圧縮機。
【請求項４】
請求項１，２または３において、
上記ターミナルカバー（40）のカバー側結合部（51）は、ボルトが挿通されるボルト挿通部（56）を有し、
上記ターミナルガード（30）のガード側結合部（52）は、上記ボルトが固定されるボルト固定部（57）を有していることを特徴とする圧縮機。
【請求項５】
請求項４において、
上記ボルト固定部（57）は、上記ボルトを上記ターミナルガード（30）に対して弾性的に保持する弾性保持部材（57）により構成されていることを特徴とする圧縮機。
【請求項６】
請求項５において、
上記弾性保持部材（57）は、上記ボルトが締結されるボス（57a）と、該ボス（57a）を上記ターミナルガード本体（36）に弾性的に連結する弾性プレート（57b）とを備えていることを特徴とする圧縮機。
【発明の詳細な説明】
【技術分野】
【０００１】
本発明は、圧縮機に関し、特に、圧縮機のケーシングに設けられるターミナルを覆うターミナルカバーの取り付け構造に関するものである。
【背景技術】
【０００２】
従来、圧縮機には、圧縮機構と、該圧縮機構を駆動する駆動機構と、該圧縮機構と駆動機構とを収容する密閉容器であるケーシングとを備えたものがある。また、この圧縮機には、ケーシングに設けられ且つ上記駆動機構のモータに給電用の配線が接続されるターミナルと、該ターミナルを包囲して保護する連続した外周壁を有する金属製のターミナルガードと、ターミナルの端子ピンに電気配線を接続した後に該ターミナルガードに装着されて上記ターミナルを覆って保護する樹脂製のターミナルカバーとを備えたものがある（例えば、特許文献１，２参照）。特許文献１，２の圧縮機では、ターミナルカバーがターミナルガードに嵌合するように形成されるとともに、ターミナルカバーの一対の側壁に形成された爪が、ターミナルガードの対応する一対の側壁に形成された凹部に係合して、ターミナルカバーがターミナルガードに取り付けられている。
【先行技術文献】
【特許文献】
【０００３】
【特許文献１】特開２００７−１４６７２８号公報
【特許文献２】特開２０１５−０３２７８４号公報
【発明の概要】
【発明が解決しようとする課題】
【０００４】
ところで、上述した従来の圧縮機において、ターミナルが短絡して大電流が流れた場合や、ケーシング内が異常な高圧になった場合には、ターミナルの一部である導電性の端子ピンを固定している絶縁部材（ガラス）が破損することがある。そのような場合、ケーシング内の高圧のガスが破損部からケーシングの外へ噴出し、その衝撃でターミナルカバーがターミナルガードから外れたりターミナルカバーが破損したりして、冷媒などの高圧のガスがターミナルガードとターミナルカバーの間の空間から機外へ漏出してしまう。
【０００５】
本発明は、このような問題点に鑑みてなされたものであり、その目的は、ターミナルの端子ピンや絶縁部材が破損してケーシング内の高圧のガスがターミナルカバーに作用した場合でも、ターミナルカバーが外れたり破損したりするのを抑制することである。
【課題を解決するための手段】
【０００６】
第１の発明は、圧縮機構（11）と、該圧縮機構（11）を駆動する駆動機構（12）と、該圧縮機構（11）と駆動機構（12）とを収容する密閉容器であるケーシング（21）と、該ケーシング（21）に設けられ且つ上記駆動機構（12）のモータに給電用の配線が接続されるターミナル（25）と、該ターミナル（25）を包囲して保護する連続した外周壁を有するターミナルガード（30）と、該ターミナルガード（30）に装着されて上記ターミナル（25）を覆うターミナルカバー（40）とを備えた圧縮機を前提としている。
【０００７】
そして、この圧縮機は、上記ターミナルカバー（40）が、ターミナルカバー本体（46）と、該ターミナルカバー本体（46）に形成されたカバー側結合部（51）とを備え、上記ターミナルガード（30）が、ターミナルガード本体（36）と、該ターミナルガード本体（36）に形成されるとともに上記ターミナルカバー（40）のカバー側結合部（51）を支持するガード側結合部（52）とを備え、上記ターミナルガード（30）のガード側結合部（52）が、上記ターミナルガード本体（36）よりも高弾性であることを特徴としている。
【０００８】
この第１の発明では、カバー側結合部（51）がガード側結合部（52）に支持されることによりターミナルカバー（40）がターミナルガード（30）に保持された状態で、ターミナル（25）の端子ピンを固定している絶縁部材が破損してガスが流出した場合、ガスの圧力がターミナルカバー（40）に作用するが、ガード側結合部（52）がターミナルガード本体（36）よりも高弾性であり、衝撃を吸収するため、ターミナルカバー（40）に加わる力が弱められる。
【０００９】
第２の発明は、第１の発明において、上記ターミナルカバー（40）のカバー側結合部（51）は先端部に向かって湾曲したフック（47）を有し、上記ターミナルガード（30）のガード側結合部（52）は、上記フック（47）を掛けるフック掛け開口（37）と、上記フック（47）に沿って湾曲したフック支持部（38）を有し、該フック支持部（38）がターミナルガード本体（36）よりも高弾性であることを特徴としている。
【００１０】
この第２の発明では、ターミナルカバー（40）をターミナルガード（30）に装着するときには、湾曲したフック支持部（38）に沿ってフック（47）を移動させることでフック（47）がフック支持部（38）に係合する。また、ターミナルカバー（40）をターミナルガード（30）に装着した状態では、ターミナルガード本体（36）よりも高弾性のフック支持部（38）によってフック（47）が支持される。そして、絶縁部材が破損してガスが流出した場合、フック支持部（38）がターミナルガード本体（36）よりも高弾性であるため、フック支持部（38）によってガスの流出の衝撃が吸収される。
【００１１】
第３の発明は、第２の発明において、上記フック（47）と上記フック支持部（38）とが、該フック（47）をフック支持部（38）に押し付ける方向へ面接触するように構成されていることを特徴としている。
【００１２】
この第３の発明では、フック（47）とフック支持部（38）が面接触することにより、ガスが流出したときの衝撃力が接触面の全体で受けられるから、力が１点に集中するのが抑制される。
【００１３】
第４の発明は、第１，第２または第３の発明において、上記ターミナルカバー（40）のカバー側結合部（51）は、ボルトが挿通されるボルト挿通部（56）を有し、上記ターミナルガード（30）のガード側結合部（52）は、上記ボルトが固定されるボルト固定部（57）を有していることを特徴としている。
【００１４】
この第４の発明では、カバー側結合部（51）であるボルト挿通部（56）に通したボルトをガード側結合部（52）であるボルト固定部（57）に固定することにより、ターミナルカバー（40）がターミナルガード（30）に保持される。また、ガード側結合部（52）であるボルト固定部（57）がターミナルガード本体（36）よりも高弾性であるため、ターミナルカバー（40）はターミナルガード（30）に弾性的に保持される。
【００１５】
第５の発明は、第４の発明において、上記ボルト固定部（57）が、上記ボルトを上記ターミナルガード（30）に対して弾性的に保持する弾性保持部材（57）により構成されていることを特徴としている。
【００１６】
第６の発明は、第５の発明において、上記弾性保持部材（57）は、上記ボルトが締結されるボス（57a）と、該ボス（57a）を上記ターミナルガード本体（36）に弾性的に連結する弾性プレート（57b）とを備えていることを特徴としている。
【００１７】
上記第５，第６の発明では、ボルトが弾性保持部材（57）によりターミナルガード（30）に弾性的に保持されるので、ターミナルカバー（40）もターミナルガード（30）に弾性的に保持される。
【発明の効果】
【００１８】
本発明によれば、カバー側結合部（51）がガード側結合部（52）に支持されることによりターミナルカバー（40）がターミナルガード（30）に保持された状態で、ターミナル（25）の端子ピンを固定している絶縁部材が破損してガスが流出した場合には、ガスの圧力がターミナルカバー（40）に作用するが、ガード側結合部（52）がターミナルガード本体（36）よりも高弾性であるため、ターミナルカバー（40）とターミナルガード（30）が係合している部分に加わる衝撃力がガード側結合部（52）で吸収される。したがって、ターミナルカバー（40）が破損したり外れたりするのを抑制できる。このように、本発明によれば、ターミナルカバー（40）が破損したりターミナルガード（30）から外れたりしにくくなるため、冷媒やそれに含まれる油の漏洩が周囲に及ぼす影響を抑えられる。
【００１９】
ところで、従来、ターミナルガード（30）が上下セパレート型になった構造が知られており、この従来の構成では、ターミナルカバー（40）に取り付けた樹脂製のパッキンでターミナルカバー（40）をターミナルガード（30）に密着させている。しかし、この従来の構成では、絶縁部材が破損したときの急激な冷媒噴出に対してパッキンが強度不足のために飛んでしまい、冷媒が全方向に噴出してしまうおそれがある。しかし、本発明によれば、ガード側結合部（52）をターミナルガード本体（36）よりも高弾性にしたことによりパッキンを用いなくてもよくなり、パッキンが不要になることでコストダウンも可能になる。
【００２０】
また、ターミナルガード（30）がセパレート型の場合は、ターミナルカバー（40）の位置精度が悪くなりやすいのに対して、本発明によれば、ターミナルガード（30）を一体型にし、ガード側結合部（52）によってターミナルカバー（40）を弾性的に保持することができるので、ターミナルカバー（40）の位置精度を高め、ターミナルカバー（40）をガタつきなく装着することが容易になる。
【００２１】
上記第２の発明によれば、ターミナルカバー（40）をターミナルガード（30）に装着するときには、湾曲したフック支持部（38）に沿ってフック（47）を移動させることでフック（47）がフック支持部（38）に係合するから、取り付け作業を容易に行うことができ、取り外しも容易に行える。また、ターミナルガード（30）とターミナルカバー（40）の間にパッキンを設けてターミナルカバー（40）のガタつきを抑えていた従来の構成に対し、本発明では、ターミナルガード（30）の高弾性のフック支持部（38）によりターミナルカバー（40）のフック（47）を弾性的に支持するようにしているので、パッキンを用いなくてもターミナルカバー（40）をターミナルガード（30）にガタつきなく装着できる。
【００２２】
上記第３の発明によれば、フック（47）とフック支持部（38）が面接触することにより、ガスが流出したときの衝撃力が１点に集中するのが抑制されるので、ターミナルカバー（40）の破損をより生じにくくすることができる。
【００２３】
上記第４の発明によれば、カバー側結合部（51）であるボルト挿通部（56）に通したボルトをガード側結合部（52）であるボルト固定部（57）に固定することにより、ターミナルカバー（40）がターミナルガード（30）に弾性的に保持されるので、ターミナルカバー（40）をターミナルガード（30）にボルトで取り付ける構成において、ターミナルカバー（40）の破損を生じにくくすることができる。
【００２４】
また、カバー側結合部（51）をフック（47）とボルト固定部（57）の両方で構成し、ガード側結合部（52）をフック支持部（38）とボルト挿通部（56）の両方で構成すれば、ターミナルカバー（40）をターミナルガード（30）に、より簡単且つ確実に取り付けることが可能になる。
【００２５】
上記第５，第６の発明によれば、ボルトが弾性保持部材（57）によりターミナルガード（30）に弾性的に保持され、ターミナルカバー（40）もターミナルガード（30）に弾性的に保持されるので、ターミナルカバー（40）の破損を生じにくくする構成を容易に実現できる。特に、上記第６の発明によれば、上記弾性保持部材（57）を、ボルトが締結されるボス（57a）と該ボス（57a）をターミナルガード本体（36）に弾性的に連結する弾性プレート（57b）により、簡単な構成で実現できる。
【図面の簡単な説明】
【００２６】
【図１】図１は、本発明の実施形態に係る圧縮機の構成を示す側面図である。
【図２】図２は、ターミナルカバーをターミナルガードに取り付ける状態を示す要部拡大図である。
【図３】図３は、ターミナルカバーをターミナルガードに取り付けた状態を示す要部拡大図である。
【図４】図４は、ターミナルガードの斜視図である。
【図５】図５は、ターミナルカバーの斜視図である。
【図６】図６は、ターミナルガードにターミナルカバーを取り付けた状態の斜視図である。
【図７】図７は、ターミナルガードにターミナルカバーを取り付けた状態の要部断面図である。
【発明を実施するための形態】
【００２７】
以下、本発明の実施形態を図面に基づいて詳細に説明する。
【００２８】
図１は、本発明の実施形態に係る圧縮機の構成を示す正面図である。図１に示すように、圧縮機（10）は、冷凍サイクルにおける低圧の冷媒を高圧に圧縮するためのものであり、縦型円筒状のケーシング（21）を備えている。
【００２９】
ケーシング（21）は、圧縮機構（11）と該圧縮機構（11）を駆動する駆動機構（12）とを収容する密閉容器である。ケーシング（21）の上部には、吸入管（22）が接続されている。ケーシング（21）の側壁面には、吐出管（23）が接続されている。
【００３０】
図２及び図３に示すように、ケーシング（21）の側壁面には、ターミナル（25）が取り付けられている。ターミナル（25）は、上記駆動機構（12）が有するモータ（図示せず）への給電用の配線が接続される端子ピン（25a）と、端子ピン（25a）をケーシング（21）に取り付けるためのガラス製の絶縁部材（27）とを有している。端子ピン（25a）の両端部は、ケーシング（21）の内方及び外方にそれぞれ突出している。端子ピン（25a）の内側の端部は、図示しないリード線によってモータに接続されている。端子ピン（25a）の外側の端部には、電気配線（26）が接続されている（図１参照）。ターミナル（25）の周囲は、ターミナルガード（30）及びターミナルカバー（40）によって覆われている。
【００３１】
図２はターミナルカバーをターミナルガードに取り付ける様子を示す要部拡大図、図３はターミナルカバーをターミナルガードに取り付けた状態を示す要部拡大図である。また、図４はターミナルガードの斜視図、図５はターミナルカバーの斜視図、図６はターミナルガードにターミナルカバーを取り付けた状態の斜視図、図７はターミナルガードにターミナルカバーを取り付けた状態の要部断面図である。
【００３２】
ターミナルガード（30）は、ケーシング（21）の側壁面に沿って取り付けられ且つターミナル（25）を挿通させる開口孔（31a）が形成されたガード底部（31）と、ガード底部（31）の左右両端縁に立設された一対の第１ガード壁部（32）と、ガード底部（31）の上下両端縁に立設されて第１ガード壁部（32）に直交する一対の第２ガード壁部（33）とを有する金属製の部材である。上記第１ガード壁部（32）及び第２ガード壁部（33）は、上記ターミナル（25）を包囲して保護する連続した外周壁（34）を構成している。
【００３３】
下側の第２ガード壁部（33）には、ターミナル（25）の端子ピン（25a）に接続された電気配線（26）をターミナルガード（30）の外側に引き出すためのガード側開口部（33a）が設けられている。
【００３４】
ターミナルカバー（40）は、ターミナルガード（30）の開口部を塞ぐカバー底部（41）と、カバー底部（41）の左右両端縁に立設された一対の第１カバー壁部（42）と、カバー底部（41）の上下両端縁に立設されて第１カバー壁部（42）に直交する一対の第２カバー壁部（43）とを有する樹脂製の部材である。ターミナルカバー（40）は、ターミナルガード（30）の内側に嵌め込まれる。ターミナルカバー（40）は、上記ターミナルガード（30）に装着された状態で上記ターミナル（25）を覆う。また、ターミナルカバー（40）は、上記ターミナルガード（30）の外周壁（34）の内面に嵌合する嵌合壁（45）を備え、上記第１カバー壁部（42）と第２カバー壁部（43）とにより、この嵌合壁（45）が構成されている。
【００３５】
下側の第２カバー壁部（43）には、ターミナル（25）に接続された電気配線（26）をターミナルカバー（40）の外側に引き出すためのカバー側開口部（43a）が設けられている。ガード側開口部（33a）とカバー側開口部（43a）によりガス抜き開口（60）が構成されている。
【００３６】
ターミナルカバー（40）には、ターミナルガード（30）に嵌め込んだ際に、嵌め込み方向の位置決めを行うためのストッパ部（44）が設けられている。ストッパ部（44）は、第１カバー壁部（42）に設けられた第１ストッパ部（44a）と、第２カバー壁部（43）に設けられた第２ストッパ部（44b）とを有する。
【００３７】
第１ストッパ部（44a）は、第１カバー壁部（42）に幅方向外方へ突出するように設けられている。第１ストッパ部（44a）の長さは、ターミナルカバー（40）をターミナルガード（30）に嵌め込んだときに、先端部が第１ガード壁部（32）の端縁に当接するように設定されている。
【００３８】
第２ストッパ部（44b）は、上側の第２カバー壁部（43）における幅方向中央位置で上方へ突出するように設けられている。第２ストッパ部（44b）の長さは、ターミナルカバー（40）をターミナルガード（30）に嵌め込んだときに、先端部が第２ガード壁部（33）の端縁に当接するように設定されている。
【００３９】
このような構成にすることにより、第１ストッパ部（44a）及び第２ストッパ部（44b）が第１ガード壁部（32）及び第２ガード壁部（33）に当接する位置までターミナルカバー（40）をターミナルガード（30）に対して嵌め込むことで、嵌め込み方向の位置決めを行うことができる。
【００４０】
上記ターミナルカバー（40）はターミナルカバー本体（46）を有し、上記ターミナルガード（30）はターミナルガード本体（36）を有している。ターミナルカバー（40）とターミナルガード（30）は、それぞれ、ターミナルカバー本体（46）に形成されたフック（47）（カバー側結合部（51））と、ターミナルガード本体（36）に形成されて該フック（47）を支持するフック掛け開口（37）及びフック支持部（38）（ガード側結合部（52））とを有している。上記ターミナルガード（30）のガード側結合部（52）であるフック掛け開口（37）は、ターミナルガード本体（36）よりも高弾性である。
【００４１】
上記カバー側結合部（51）及びガード側結合部（52）により、上記ターミナルガード（30）に対して上記ターミナルカバー（40）を抜け止めする係合部（50）が構成されている。また、上記ターミナルカバー（40）と上記ターミナルガード（30）は、この係合部（50）に加えて、上記ターミナルカバー（40）のボルト挿通部（56）に挿通されたボルト（図示せず）を上記ターミナルガード（30）のボルト固定部（57）に締結固定するように構成された締結部（55）と、上記ターミナルカバー（40）及びターミナルガード（30）の内部の空間から下方へガスを逃がす上述のガス抜き開口（60）とを備えている。このガス抜き開口（60）は、上記ガード側開口部（33a）とカバー側開口部（43a）とから構成されている。
【００４２】
上記ターミナルガード（30）のガード側結合部（52）には、フック掛け開口（37）及びフック支持部（38）に加えて、上記ボルトが締結されるボルト固定部（57）も含まれている。また、上記ターミナルカバー（40）のカバー側結合部（51）には、上記フック（47）に加えて、上記ボルト固定部（57）に締結される上記ボルトが挿通するボルト挿通部（56）も含まれている。上記ボルト固定部（57）は、上記ボルトを上記ターミナルガード（30）に対して弾性的に保持するように構成された弾性保持部材（57）である。具体的には、上記ボルト固定部（57）は、上記ボルトが締結されるボス（57a）と、該ボス（57a）と上記ターミナルガード本体（36）とを弾性的に連接する弾性プレート（57b）とを一体的に有する部材により構成されており、この弾性プレート（57b）の接合部（57c）がターミナルガード本体（36）に溶接等で固定されている。
【００４３】
上記フック（47）を用いて構成された上述の係合部（50）は、圧縮機（10）のケーシング（21）に設置した状態で上記ターミナルカバー（40）及びターミナルガード（30）の下部になる位置に設けられている。また、図示していないボルトを用いる上記締結部（55）は、圧縮機（10）のケーシング（21）に設置した状態で上記ターミナルカバー（40）及びターミナルガード（30）の上部になる位置に配置されている。また、上記ガス抜き開口（60）は、ターミナルガード（30）及びターミナルカバー（40）を圧縮機（10）のケーシング（21）に設置した状態で上記ターミナルカバー（30）及びターミナルガード（40）の下部になる位置に形成されている。
【００４４】
上記フック（47）は、上記ターミナルカバー（40）の下部から下方へ延び、且つその先端部（47a）が、上記ケーシング（21）の壁面から離れる方向へ向かって湾曲している。上記フック支持部（38）は、上記フック（47）に沿って湾曲している。そして、上記フック（47）と上記フック支持部（38）とが、該フック（47）をフック支持部（38）に押し付ける方向へ面接触するように構成されている。上記ターミナルカバー（40）は、上記フック（47）の周辺部分に、上記ターミナルカバー（40）をターミナルガード（30）に装着する際に該周辺部分と該ターミナルガード（30）との接触を抑制する逃げ面（48）を備えている。
【００４５】
−ターミナルカバーの取り付けと取り外し−
ターミナルカバー（40）をターミナルガード（30）に取り付ける作業は、以下のようにして行う。まず、図２に示す状態で、ターミナルカバー（40）の第１カバー壁部（42）と第２カバー壁部（43）とからなる嵌合壁（45）をターミナルガード（30）の第１ガード壁部（32）と第２ガード壁部（33）とからなる外周壁（34）に差し込みながらフック（47）をフック支持部（38）に沿わせながらフック掛け開口（37）に挿入して引っ掛けるとともに、上記締結部（55）を構成するターミナルカバー（40）のボルト挿入部（56）をターミナルガード（30）のボルト固定部（57）に位置合わせする。そして、上記ボルト挿入部（56）にボルトを挿入してボルト固定部（57）に締め付けることにより、図３，図６の状態でターミナルカバー（40）がターミナルガード（30）に固定される。
【００４６】
このようにしてターミナルカバー（40）をターミナルガード（30）に固定すると、上記係合部（50）を構成するフック支持部（38）をターミナルガード本体（36）よりも高弾性にしていることと、上記締結部（55）を構成するボルト固定部（57）を弾性保持部材（57）により構成していることにより、ターミナルカバー（40）がターミナルガード（30）に弾性的に保持される。そして、上記ターミナル（25）が保護される。
【００４７】
また、本実施形態によれば、ボルトを外してからフック（47）をフック支持部（38）に沿わせながらフック掛け開口（37）から抜き、ターミナルカバー（40）をターミナルガード（30）から容易に外すことができる。
【００４８】
−絶縁部材の破損時の作用−
本実施形態では、ターミナルカバー（40）をターミナルガード（30）に取り付けている状態で、ターミナル（25）の一部である導電性の端子ピン（25a）を固定している絶縁部材（27）が破損してケーシング（21）の内部の高圧ガスが破損部分からケーシング（21）の外へ噴出すると、高圧ガスはガス抜き開口（60）を通ってターミナルガード（30）及びターミナルカバー（40）の内部から流出し、ガスの流出方向が下向きに限定される。本実施形態では、従来とは違って、フック（47）をフック支持部（38）で弾性的に支持するとともに、ターミナルガード（30）とターミナルカバー（40）の内部の空間からガスを下方へ逃がすようにしているので、ターミナルカバー（40）にかかる衝撃が弱められる。
【００４９】
−実施形態の効果−
以上のように，本実施形態によれば、導電性の端子ピン（25a）を固定している絶縁部材が破損してケーシング（21）の内部の高圧ガスが破損部分から流出した場合には、ガスの圧力がターミナルカバー（40）に作用するが、ガード側結合部（52）がターミナルガード本体（36）よりも高弾性であるため、ターミナルカバー（40）とターミナルガード（30）が係合している部分に加わる衝撃力が、ガード側結合部（52）であるフック支持部（38）と弾性保持部材（57）で吸収される。したがって、ターミナルカバー（40）が破損したり外れたりするのを抑制できる。このように、本実施形態によれば、ターミナルカバー（40）が破損したりターミナルガード（30）から外れたりしにくくなるため、冷媒やそれに含まれる油の漏洩が周囲に及ぼす影響を抑えられる。
【００５０】
ところで、従来、ターミナルガード（30）が上下セパレート型になった構造が知られており、この従来の構成では、ターミナルカバー（40）に取り付けた樹脂製のパッキンでターミナルカバー（40）をターミナルガード（30）に密着させている。しかし、この従来の構成では、絶縁部材が破損したときの急激な冷媒噴出に対してパッキンが強度不足のために飛んでしまい、冷媒が噴出してしまうおそれがある。しかし、本実施形態によれば、ガード側結合部（52）をターミナルガード本体（36）よりも高弾性にしたことによりパッキンを用いなくてもよくなり、パッキンが不要になることでコストダウンも可能になる。
【００５１】
また、ターミナルガード（30）がセパレート型の場合は、ターミナルカバー（40）の位置精度が悪くなりやすいのに対して、本実施形態によれば、ターミナルガード（30）を一体型にし、ガード側結合部（52）によってターミナルカバー（40）を弾性的に保持することができるので、ターミナルカバー（40）の位置精度を高め、ターミナルカバー（40）をガタつきなく装着することが容易になる。
【００５２】
また、本実施形態によれば、ターミナルカバー（40）をターミナルガード（30）に装着するときには、湾曲したフック支持部（38）に沿ってフック（47）を移動させることでフック（47）がフック支持部（38）に係合するから、取り付け作業を容易に行うことができ、取り外しも容易に行える。また、ターミナルガード（30）とターミナルカバー（40）の間にパッキンを設けてターミナルカバー（40）のガタつきを抑えていた従来の構成に対して、本実施形態では、ターミナルガード（30）の高弾性のフック支持部（38）によりターミナルカバー（40）のフック（47）を弾性的に支持するようにしているので、パッキンを用いなくてもターミナルカバー（40）をターミナルガード（30）にガタつきなく装着できる。
【００５３】
また、本実施形態によれば、フック（47）とフック支持部（38）が、該フック（47）をフック支持部（38）に押し付ける方向へ面接触することにより、ガスが流出したときの衝撃力が１点に集中するのが抑制されるので、ターミナルカバー（40）の破損をより生じにくくすることができる。
【００５４】
また、本実施形態によれば、カバー側結合部（51）であるボルト挿通部（56）に通したボルトをガード側結合部（52）であるボルト固定部（57）に固定することにより、ターミナルカバー（40）がターミナルガード（30）に弾性的に保持されるので、ターミナルカバー（40）をターミナルガード（30）にボルトで取り付ける構成において、ターミナルカバー（40）の破損を生じにくくすることができる。また、本実施形態では、カバー側結合部（51）をフック（47）とボルト固定部（57）の両方で構成し、ガード側結合部（52）をフック支持部（38）とボルト挿通部（56）の両方で構成しているので、ターミナルカバー（40）をターミナルガード（30）に、より簡単且つ確実に取り付けることが可能になる。
【００５５】
さらに、本実施形態によれば、ボルトが締結されるボス（57a）と該ボス（57a）をターミナルガード本体（36）に弾性的に連結する弾性プレート（57b）とからなる弾性保持部材（57）によりターミナルガード（30）に弾性的に保持され、ターミナルカバー（40）もターミナルガード（30）に弾性的に保持されるので、ターミナルカバー（40）の破損を生じにくくする構成を容易に実現できる。
【００５６】
《その他の実施形態》
上記実施形態については、以下のような構成としてもよい。
【００５７】
例えば、状記実施形態においては、カバー側結合部（51）をフック（47）とボルト挿通部（56）とから構成し、ガード側結合部（52）をフック掛け開口（37）及びフック支持部（38）とボルト固定部（57）とから構成しているが、カバー側結合部（51）をすべてフック（47）にしてガード側結合部（52）をすべてフック掛け開口（37）及びフック支持部（38）にしたり、カバー側結合部（51）をすべてボルト挿通部（56）にしてガード側結合部（52）をすべてボルト固定部（57）にしたりすることも可能であるし、フック（47）やボルトを用いる位置を適宜変更してもよい。
【００５８】
また、上記実施形態において、フック（47）やフック支持部（38）の形状を変更してもよいし、ボルト挿通部（56）やボルト固定部（57）の形状を変更してもよい。
【００５９】
要するに、本発明は、ターミナルガード（30）のガード側結合部（52）が、ターミナルガード本体（36）よりも高弾性であればよく、他の構成は適宜変更してもよい。
【００６０】
なお、以上の実施形態は、本質的に好ましい例示であって、本発明、その適用物、あるいはその用途の範囲を制限することを意図するものではない。
【産業上の利用可能性】
【００６１】
以上説明したように、本発明は、圧縮機のターミナルカバーの取り付け構造について有用である。
【符号の説明】
【００６２】
10    圧縮機
11    圧縮機構
12    駆動機構
21    ケーシング
25    ターミナル
30    ターミナルガード
34    外周壁
36    ターミナルガード本体
37    フック掛け開口
38    フック支持部
40    ターミナルカバー
45    嵌合壁
46    ターミナルカバー本体
47    フック
48    逃げ面
50    嵌合壁
51    カバー側結合部
52    ガード側結合部
55    締結部
56    ボルト挿通部
57    弾性保持部材（ボルト固定部）
57a   ボス
57b   弾性プレート
60    ガス抜き開口
【図１】
2018127976.tif 000003
【図２】
2018127976.tif 000004
【図３】
2018127976.tif 000005
【図４】
2018127976.tif 000006
【図５】
2018127976.tif 000007
【図６】
2018127976.tif 000008
【図７】
2018127976.tif 000009